(57)【要約】【解決手段】握り鋏１を載せる台シート１５と、握り鋏１の両刃部３を台シート１５との間で挟むカバーシート１６とを有する支持体１４を備えている。支持体１４にあっては、台シート１５に対し分離して設けたカバーシート１６の上端部を台シート１５に連結する切込み１７及び接続舌片２３と、台シート１５に対しカバーシート１６の下端部を一体に連結した接続部とを設けている。カバーシート１６に設けた帯状部２１を握り鋏１の両柄部２間に挿通して帯状部２１により握り鋏１を支えて握り鋏１が支持体１４から離脱するのを防止する。【効果】台シート１５のほかに、握り鋏１をある程度覆うカバーシート１６を設けるとともに、台シート１５とカバーシート１６との間に握り鋏１を挟んで台シート１５とカバーシート１６とを互いに接続した支持体１４を構成する作業を容易に行うとともに、支持体１４に対し握り鋏１を確実に支持することができる。【選択図】図２
2005187004.tif 000002
【特許請求の範囲】
【請求項１】
鋏を載せる台シートと、この鋏を台シートとの間で挟むカバーシートとを有する支持体を備え、この支持体には、このカバーシートの一部をこの台シートに連結する第一接続手段と、このカバーシートの他部をこの台シートに連結する第二接続手段とを設け、
この支持体に設けた抜止め用支持部を鋏の両柄部間に挿通してこの抜止め用支持部により鋏を支えて鋏が支持体から離脱するのを防止する
ことを特徴とする鋏陳列用支持部材。
【請求項２】
鋏を載せる台シートと、この鋏を台シートとの間で挟むカバーシートとを有する支持体を備え、この支持体にあっては、
この台シートに対し分離して設けたカバーシートの一部をこの台シートに連結する第一接続手段と、
この台シートに対しカバーシートの他部を一体で設けるか、または、この台シートに対し分離して設けたカバーシートの他部をこの台シートに連結する第二接続手段と、
鋏が支持体から離脱するのを防止する抜止め用支持部と
を設けたことを特徴とする鋏陳列用支持部材。
【請求項３】
前記支持体には鋏を支えて鋏が動くのを規制する位置決め用支持部を設けたことを特徴とする請求項１または請求項２に記載の鋏陳列用支持部材。
【請求項４】
前記位置決め用支持部は、台シートに対し分離して設けたカバーシートの他部をこの台シートに連結する第二接続手段と兼用されていることを特徴とする請求項３に記載の鋏陳列用支持部材。
【請求項５】
前記鋏の両柄部は前記支持体から露出し、前記鋏の両刃部はこの支持体に設けた挿入口部を通してこの支持体に収容されていることを特徴とする請求項１から請求項４のうちいずれかの請求項に記載の鋏陳列用支持部材。
【請求項６】
前記位置決め用支持部と前記支持体の挿入口部とは、前記鋏の両刃部及び両柄部の開閉動を可能にする開閉操作許容空間を有していることを特徴とする請求項５に記載の鋏陳列用支持部材。
【請求項７】
前記支持体で台シートとカバーシートとの間の支持室は、鋏の両刃部を収容し、前記第一接続手段と第二接続手段との間で開放されていることを特徴とする請求項５または請求項６に記載の鋏陳列用支持部材。
【請求項８】
前記鋏は、両柄部の基端部で互いに開閉動可能に連結するとともに両柄部の先端側に刃部を取着した握り鋏であることを特徴とする請求項１から請求項７のうちいずれかの請求項に記載の鋏陳列用支持部材。
【請求項９】
前記鋏は、両鋏片を開閉中心部で回動可能に支持してこの開閉中心部よりも先端側に両刃部を設けるとともにこの開閉中心部よりも基端側に両柄部を設けた西洋鋏であることを特徴とする請求項１から請求項７のうちいずれかの請求項に記載の鋏陳列用支持部材。
【発明の詳細な説明】
【技術分野】
【０００１】
本発明は、鋏を陳列するために支持する支持部材に関するものである。
【背景技術】
【０００２】
下記特許文献１では、台紙１，２２，３３，３９，４７，６０，６８上に洋鋏１４が架橋部７，２６，３５，４１や止めひも１１，２９，５７，６７，７７や止め紙３７などを利用して開閉操作可能に支持されている。
【特許文献１】実開平５−３５７４３号公報
【発明の開示】
【発明が解決しようとする課題】
【０００３】
しかし、台紙１，２２，３３，３９，４７，６０，６８上で洋鋏１４をある程度覆うものがないため、洋鋏１４を不用意に触れるおそれがあった。
この発明は、台シート（前記台紙１等に該当）のほかに、鋏をある程度覆うカバーシートを設けるとともに、この台シートとカバーシートとの間に鋏を挟んで台シートとカバーシートとを互いに接続した支持体を構成する作業を容易に行うとともに、この支持体に対し鋏を確実に支持することを目的としている。
【課題を解決するための手段】
【０００４】
後記実施形態の図面（図１〜３に示す第１実施形態、図４〜６に示す第２実施形態、図７〜９に示す第３実施形態、図１０〜１１に示す第４実施形態）の符号を援用して本発明を説明する。
【０００５】
請求項１の発明にかかる鋏陳列用支持部材は、第１，２実施形態に対応し、下記のように構成されている。
この鋏陳列用支持部材は、鋏（１）を載せる台シート（１５）と、この鋏（１）例えば両刃部（３）を台シート（１５）との間で挟むカバーシート（１６）とを有する支持体（１４）を備えている。この支持体（１４）には、このカバーシート（１６）の一部（一端部である上端部）をこの台シート（１５）に連結する第一接続手段（１７，２３）と、このカバーシート（１６）の他部（他端部である下端部）をこの台シート（１５）に連結する第二接続手段（２０，２９）とを設けている。この支持体（１４）に設けた抜止め用支持部（例えば帯状部２１）を鋏（１）の両柄部（２）間に挿通してこの抜止め用支持部（２１）により鋏（１）の一部（５）を支えて鋏（１）が支持体（１４）から離脱するのを防止する。
【０００６】
請求項１の発明では、台シート（１５）とカバーシート（１６）との間に鋏（１）を挟んで台シート（１５）とカバーシート（１６）とを互いに接続するとともに、抜止め用支持部（２１）を鋏（１）の両柄部（２）間に挿通するだけの簡単な手段により、支持体（１４）に対し鋏（１）を確実に支持することができる。ここに、「両柄部（２）間」とは、鋏（１）の開閉動時に互いに接近離間する両柄部（２）の内側間の空間を意味する。
【０００７】
請求項２の発明にかかる鋏陳列用支持部材は、第１，２，３，４実施形態に対応し、下記のように構成されている。
この鋏陳列用支持部材は、鋏（１，６）を載せる台シート（１５）と、この鋏（１，６）を台シート（１５）との間で挟むカバーシート（１６）とを有する支持体（１４）を備えている。この支持体（１４）にあっては、この台シート（１５）に対し分離して設けたカバーシート（６）の一部（一端部である上端部）をこの台シート（１５）に連結する第一接続手段（１７，２３）と、この台シート（１５）に対しカバーシート（１６）の他部（他端部である下端部）を一体で設けるか、または、この台シート（１５）に対し分離して設けたカバーシート（１６）の他部をこの台シート（１５）に連結する第二接続手段（２０，２９，３７）と、鋏（１，６）が支持体（１４）から離脱するのを防止する抜止め用支持部（２１，３１，３２）とを設けている。例えば、第一接続手段は台シート（１５）とカバーシート（１６）とのうち一方に設けた切込み（１７）と他方に設けた接続舌片（２３）とを備え、この接続舌片（２３）がこの切込み（１７）に対し着脱可能に挿入されている。例えば、第二接続手段について、第１実施形態では、台シート（１５）とカバーシート（１６）とを一体に連結した折曲可能な接続部（２０）であり、第３実施形態では、この接続部（２０）に加え、台シート（１５）及びカバーシート（１６）に設けた各止め孔（３３，３４）に対し着脱可能に挿通した止め部（止め索３７）であり、第２実施形態では、カバーシート（１６）に設けた支持舌片（２９）を台シート（１５）に設けた切込み（２６）に対し着脱可能に挿入したものであり、第４実施形態では、上記止め部（３７）である。例えば、抜止め用支持部について、第１，２実施形態では、請求項１の帯状部（２１）であり、第３，４実施形態では、鋏（１，６）に設けた突起（例えば、握り鋏１に設けた突起や、西洋鋏６の開閉中心部９）を、台シート（１５）及びカバーシート（１６）に設けた貫通孔や凹部などの各係合孔（３１，３２）に対し着脱可能に挿通したものである。
【０００８】
請求項２の発明では、台シート（１５）とカバーシート（１６）との間に鋏（１，６）を挟んで台シート（１５）とカバーシート（１６）とを互いに接続するとともに支持体（１４）に鋏（１）を支持する作業を容易に行うことができる。
【０００９】
第１，２，３，４実施形態に対応する請求項３の発明においては、請求項１または請求項２の発明を前提とし、前記支持体（１４）には鋏（１，６）を支えて鋏（１，６）が動くのを規制する位置決め用支持部（１８，２９，３１，３２，３７）を設けている。例えば、位置決め用支持部について、第１実施形態では、台シート（１５）に設けた支持舌片（１８）であり、第２実施形態では、カバーシート（１６）に設けた支持舌片（２９）を台シート（１５）に設けた切込み（２６）に対し着脱可能に挿入したものであり、第３，４実施形態では、鋏（１，６）に設けた突起（例えば、握り鋏１に設けた突起や、西洋鋏６の開閉中心部９）を、台シート（１５）及びカバーシート（１６）に設けた貫通孔や凹部などの各係合孔（３１，３２）に対し着脱可能に挿通したもの、または、台シート（１５）及びカバーシート（１６）に設けた各止め孔（３３，３４）に対し着脱可能に挿通した止め部（止め索３７）である。請求項３の発明では、支持体（１４）で鋏（１，６）の動きを規制することができる。
【００１０】
第２，３，４実施形態に対応する請求項４の発明においては、請求項３の発明を前提とし、前記位置決め用支持部（２９，３７）は、台シート（１５）に対し分離して設けたカバーシート（１６）の他部をこの台シート（１５）に連結する第二接続手段（２９，３７）と兼用されている。例えば、位置決め用支持部及び第二接続手段については、第２実施形態では上記支持舌片（２９）であり、第３，４実施形態では上記止め部（止め索３７）である。請求項４の発明では、位置決め用支持部（２９，３７）及び第二接続手段（２９，３７）を簡単にすることができる。
【００１１】
第１，２，３，４実施形態に対応する請求項５の発明においては、請求項１から請求項４のうちいずれかの請求項の発明を前提とし、前記鋏（１，６）の両柄部（２，１１）が前記支持体（１４）から露出し、前記鋏（１，６）の両刃部（３，１０）はこの支持体（１４）に設けた挿入口部（２４ａ，３０）を通してこの支持体（１４）に収容されている。請求項５の発明では、鋏（１，６）の両刃部（３，１０）の露出を防止するとともに、鋏（１，６）の両柄部（２，１１）に触れてその感触を容易に確認することができる。
【００１２】
第１，２，３，４実施形態に対応する請求項６の発明においては、請求項５の発明を前提とし、前記位置決め用支持部（１８，２９，３１，３２，３７）と前記支持体（１４）の挿入口部（２４ａ，３０）とが、前記鋏（１，６）の両刃部（３，１０）及び両柄部（２，１１）の開閉動を可能にする開閉操作許容空間を有している。請求項６の発明では、鋏（１，６）の両柄部（２，１１）を実際に開閉動させてその感触を容易に確認することができる。
【００１３】
第１，２，３，４実施形態に対応する請求項７の発明においては、請求項５または請求項６の発明を前提とし、前記支持体（１４）で台シート（１５）とカバーシート（１６）との間の支持室（２４）は、鋏（１，６）の両刃部（３．１０）を収容し、前記第一接続手段（１７，２３）と第二接続手段（２０，３７，２９）との間で開放されている。請求項７の発明では、台シート（１５）とカバーシート（１６）との間に鋏（１，６）を挟んで台シート（１５）とカバーシート（１６）とを互いに接続する作業を容易に行うことができる。
【００１４】
第１，２実施形態に対応する請求項８の発明においては、請求項１から請求項７のうちいずれかの請求項の発明を前提とし、前記鋏（１）は、両柄部（２）の基端部（２ａ）で互いに開閉動可能に連結するとともに両柄部（２）の先端側に刃部（３）を取着した握り鋏である。請求項８の発明にかかる握り鋏（１）は、第１，２実施形態に対応する請求項１の発明で、帯状部（２１）などの抜止め用支持部を両柄部（２）間に挿通する際に適している。
【００１５】
第３，４実施形態に対応する請求項９の発明においては、請求項１から請求項７のうちいずれかの請求項の発明を前提とし、前記鋏（６）は、両鋏片（７，８）を開閉中心部（９）で回動可能に支持してこの開閉中心部（９）よりも先端側に両刃部（１０）を設けるとともにこの開閉中心部（９）よりも基端側に両柄部（１１）を設けた西洋鋏である。請求項９の発明にかかる西洋鋏（６）は、上記各係合孔（３１，３２）や止め部（止め索３７）を採用する際に適している。
【発明の効果】
【００１６】
本発明は、台シート（１５）のほかに、鋏（１，６）をある程度覆うカバーシート（１６）を設けるとともに、この台シート（１５）とカバーシート（１６）との間に鋏（１，６）を挟んで台シート（１５）とカバーシート（１６）とを互いに接続した支持体（１４）を構成する作業を容易に行うとともに、この支持体（１４）に対し鋏（１，６）を確実に支持することができる。
【発明を実施するための最良の形態】
【００１７】
以下、本発明の各実施形態にかかる鋏陳列用支持部材について図面を参照して説明する。ちなみに、図１〜３に示す第１実施形態と図４〜６に示す第２実施形態とはそれぞれ握り鋏に適し、図７〜９に示す第３実施形態と図１０〜１１に示す第４実施形態とはそれぞれ西洋鋏に適している。
【００１８】
図１（ｂ）に示す握り鋏１は、合成樹脂からなる両柄部２と、この両柄部２の先端側に取着された刃部３とを備えている。この両柄部２は、それらの基端部２ａで一体に連結され、板ばね部４の弾性力により互いに押し広げられている。この両柄部２には両刃部３の基端部付近で互いに係合する開閉案内部５が形成されている。この両柄部２を板ばね部４の弾性力に抗して互いに押し狭めると、この両刃部３が互いに閉動する。この両柄部２を離すと、両柄部２が板ばね部４の弾性力により互いに押し広げられて両刃部３が互いに開動する。
【００１９】
図７（ｂ）または図１０（ｃ）に示す西洋鋏６においては、両鋏片７，８が開閉中心軸部９（開閉中心部）で回動可能に支持されて、この開閉中心軸部９よりも先端側に両刃部１０が設けられているとともに、この開閉中心軸部９よりも基端側に両柄部１１が設けられている。この両柄部１１においては、両刃部１０から一体に延設された支持部１２に合成樹脂製の指掛部１３が取着されている。
【００２０】
〔図１〜３に示す第１実施形態〕
図１（ａ）で展開して示す支持体１４は、台シート１５とカバーシート１６とを有し、一体成形されている。この支持体１４の成形については、透明な合成樹脂材からなるシート材を打ち抜く簡単な加工手段を採用している。ちなみに、透明な合成樹脂材としては、ＰＰ（ポリプロピレン）やＰＥＴ（ポリエチレンテレフタレート）や塩化ビニル樹脂などを利用することができる。
【００２１】
前記台シート１５は、上端縁１５ａと下端縁１５ｂと左端縁１５ｃと右端縁１５ｄとで囲まれた縦長の長方形をなし、図３（ａ）（ｂ）に示すように表面１５ｅと裏面１５ｆとを有している。なお、この台シート１５において、上端縁１５ａと下端縁１５ｂとの間の長さは１６０ｍｍであり、左端縁１５ｃと右端縁１５ｄとの間の幅は８５ｍｍであって、図１（ｂ）の握り鋏１のサイズに応じて変更することができる。この台シート１５には上端縁１５ａの付近で吊下孔１５ｇが表面１５ｅと裏面１５ｆとの間に貫設されている。この台シート１５には上端縁１５ａと下端縁１５ｂとの間の中央部の付近で左右両側に切込み１７（第一接続手段）が表面１５ｅと裏面１５ｆとの間に貫設されている。この台シート１５には、この中央部よりも下端縁１５ｂ寄りで切り起こしにより支持舌片１８（位置決め用支持部）が表面１５ｅ側へ立設され、この支持舌片１８の外周形状に対応する内周形状を有する貫通孔１９が表面１５ｅと裏面１５ｆとの間に貫設されている。この支持舌片１８には図２（ａ）に示すように支持孔１８ａが形成されている。
【００２２】
前記カバーシート１６は、前記台シート１５の下端縁１５ｂから接続部２０（カバーシート１６の下端部である他端部としての他部に設けた第二接続手段）を介して一体に延設された帯状部２１（抜止め用支持部）と、この帯状部２１から一体に連続する覆い部２２とを備えている。この帯状部２１は反転できるように折曲可能になっている。この覆い部２２の左右方向幅はこの帯状部２１の左右方向幅よりも大きくなっている。この覆い部２２の端部（カバーシート１６の上端部である一端部としての一部）の左右両側には接続舌片２３（第一接続手段）が形成されている。
【００２３】
図２（ａ）に示す組付け途中状態では、図１（ａ）の支持体１４に図１（ｂ）の握り鋏１が載せられ、この握り鋏１の両刃部３が前記支持舌片１８の支持孔１８ａに挿入されている。この組付け途中状態から、前記カバーシート１６の帯状部２１を反転させて握り鋏１の両柄部２間に挿通すると、このカバーシート１６の覆い部２２が両刃部３を前記台シート１５の表面１５ｅとの間で挟むように覆う。なお、カバーシート１６の帯状部２１を握り鋏１の両柄部２間に挿通した後、この握り鋏１を支持体１４に載せてもよい。この覆い部２２の両接続舌片２３を台シート１５の両切込み１７に挿入して台シート１５の裏面１５ｆ側へ突出させると、図２（ｂ）及び図３（ａ）（ｂ）に示す組付け完了状態となり、握り鋏１の両柄部２が支持体１４から下方へ露出する。
【００２４】
この組付け完了状態では、カバーシート１６の覆い部２２と台シート１５の表面１５ｅとの間の支持室２４が前記第一接続手段（切込み１７及び接続舌片２３）と前記接続部２０との間で開放部２５により開放され、この開放部２５でこの接続部２０の両側にできる挿入口部２４ａを通して握り鋏１の両刃部３が支持室２４に収容されている。この支持室２４内の両刃部３についてはカバーシート１６や台シート１５を通して外側から視認することができる。両柄部２間にある開閉案内部５が帯状部２１に載せられて支えられるため、握り鋏１は支持体１４から離脱しない。前記支持舌片１８が握り鋏１の両刃部３を支えて握り鋏１が支持室２４で動くのを規制する反面、この支持室２４や支持舌片１８の支持孔１８ａや前記開放部２５の挿入口部２４ａは開閉操作許容空間を有しているため、支持体１４から露出する握り鋏１の両柄部２を開閉動させると、握り鋏１の両刃部３も開閉動させることができる。
【００２５】
一方、前記覆い部２２の両接続舌片２３を台シート１５の両切込み１７から抜いて覆い部２２を台シート１５の表面１５ｅから離すように広げるとともに、カバーシート１６を握り鋏１の両柄部２間から抜くと、握り鋏１を支持体１４から容易に離脱させることができる。
【００２６】
〔図４〜６に示す第２実施形態〕
この第２実施形態は、下記・の点で前記第１実施形態と異なる。なお、第１実施形態の図１（ａ）、図２（ａ）、図２（ｂ）、図３（ａ）及び図３（ｂ）は、それぞれ、第２実施形態の図４（ａ）（ｂ）、図５（ａ）、図５（ｂ）、図６（ａ）及び図６（ｂ）に対応する。
【００２７】
・  図４（ａ）（ｂ）に示す支持体１４は互いに分離された台シート１５とカバーシート１６とを有し、カバーシート１６が透明な合成樹脂材により成形されているが、台シート１５は不透明な紙材により形成されている。台シート１５が紙の場合、印刷を施し易い。
【００２８】
・  図４（ａ）に示す台シート１５においては、図１（ａ）に示す台シート１５に形成された支持舌片１８及び貫通孔１９に代えて、切込み２６が形成されている。また、図４（ｂ）に示すカバーシート１６においては、帯状部２１の端部に連続する接続部２７で、切込み２８により支持舌片２９（第二接続手段及び位置決め用支持部）が形成され、この支持舌片２９には図５（ａ）に示すように支持孔２９ａが形成されている。図６（ａ）（ｂ）に示すようにこのカバーシート１６の接続部２７が台シート１５の裏面１５ｆに重ねられた状態で、この接続部２７から起こされた支持舌片２９が台シート１５の裏面１５ｆ側から切込み２６に挿入されて台シート１５の表面１５ｅ側で立設され、この支持舌片２９の支持孔２９ａに握り鋏１の両刃部３が挿入される。
【００２９】
〔図７〜９に示す第３実施形態〕
図７（ａ）で展開して示す支持体１４は、台シート１５とカバーシート１６とを有し、第１実施形態と同様に、透明な合成樹脂材により一体成形されている。
【００３０】
前記台シート１５は、上端縁１５ａと下端縁１５ｂと左端縁１５ｃと右端縁１５ｄとで囲まれた縦長の長方形をなし、図９（ａ）（ｂ）に示すように表面１５ｅと裏面１５ｆとを有している。この台シート１５には上端縁１５ａの付近で吊下孔１５ｇが表面１５ｅと裏面１５ｆとの間に貫設されている。この台シート１５には上端縁１５ａと下端縁１５ｂとの間の中央部の付近で左右両側に切込み１７（第一接続手段）が表面１５ｅと裏面１５ｆとの間に貫設されている。前記カバーシート１６は、折曲可能な接続部２０（第二接続手段）を介して前記台シート１５の下端縁１５ｂから一体に延設された覆い部２２を備えている。この覆い部２２の端部の左右両側には接続舌片２３（第一接続手段）が形成されている。この接続部２０には挿入口部３０が貫設されている。この接続部２０の付近で台シート１５とカバーシート１６とには、それぞれ、円形状の係合孔３１，３２が貫設されているとともに、これらの係合孔３１，３２と挿入口部３０との間で両止め孔３３，３４が貫設され、台シート１５の係合孔３１と挿入口部３０との間に切込み３５が形成されてその切込み３５により両舌片部３６が形成されている。
【００３１】
図８（ａ）に示す組付け途中状態では、前記カバーシート１６が接続部２０で折曲されて台シート１５の表面１５ｅ側に重ねられ、前記カバーシート１６の係合孔３２が台シート１５の係合孔３１に対向するとともに、前記カバーシート１６の両止め孔３４が台シート１５の両止め孔３３に対向する。また、カバーシート１６の覆い部２２の両接続舌片２３が台シート１５の両切込み１７に挿入されて台シート１５の裏面１５ｆ側へ突出している。その後、この組付け途中状態から、図７（ｂ）に示す西洋鋏６の両刃部１０を接続部２０の挿入口部３０からカバーシート１６の覆い部２２と台シート１５の表面１５ｅとの間に挿入すると、前記切込み３５を挟む両舌片部３６が西洋鋏６の開閉中心軸部９により押し広げられながら、その開閉中心軸部９が台シート１５及びカバーシート１６の係合孔３１，３２（位置決め用支持部）に係入される。なお、西洋鋏６の両刃部１０を接続部２０の挿入口部３０に挿入した後、カバーシート１６を台シート１５の表面１５ｅ側に重ねてもよい。次に、台シート１５の両止め孔３３とカバーシート１６の両止め孔３４とに止め索３７（位置決め用支持部及び第二接続手段であって塑性変形する薄い金属板）を挿入して台シート１５の裏面１５ｆで結ぶと、台シート１５とカバーシート１６と両柄部２とがこの止め索３７により締め付けられ、図８（ｂ）及び図９（ａ）（ｂ）に示す組付け完了状態となる。その場合、このカバーシート１６の覆い部２２が両刃部１０及び開閉中心軸部９の付近の両柄部２を前記台シート１５の表面１５ｅとの間で挟むように覆うとともに、両柄部１１が支持体１４から下方へ露出する。
【００３２】
この組付け完了状態では、カバーシート１６の覆い部２２と台シート１５の表面１５ｅとの間の支持室２４が前記第一接続手段（切込み１７及び接続舌片２３）と前記接続部２０との間で開放部２５により開放され、挿入口部３０を通して西洋鋏６の両刃部１０が支持室２４に収容されている。この支持室２４内の両刃部１０についてはカバーシート１６や台シート１５を通して外側から視認することができる。前記止め索３７により締め付けられた係合孔３１，３２に開閉中心軸部９が係入されるため、西洋鋏６は支持体１４から離脱しない。前記止め索３７が西洋鋏６の両柄部１１を支えて西洋鋏６が支持室２４で動くのを規制する反面、この支持室２４や止め索３７の内側や挿入口部３０は開閉操作許容空間を有しているため、支持体１４から露出する西洋鋏６の両柄部１１を開閉動させると、西洋鋏６の両刃部１０も開閉動させることができる。
【００３３】
一方、前記止め索３７を各止め孔３３，３４から抜くとともに前記覆い部２２の両接続舌片２３を台シート１５の両切込み１７から抜いて覆い部２２を台シート１５の表面１５ｅから離すように広げ、西洋鋏６の両刃部１０を挿入口部３０から抜くと、西洋鋏６を支持体１４から容易に離脱させることができる。
【００３４】
〔図１０〜１１に示す第４実施形態〕
この第４実施形態は、下記・の点で前記第３実施形態と異なる。なお、第３実施形態の図７（ａ）、図８（ｂ）、図９（ａ）及び図９（ｂ）は、それぞれ、第４実施形態の図１０（ａ）（ｂ）、図１１（ａ）、図１１（ｂ）及び図１１（ｃ）に対応する。
【００３５】
・  図１０（ａ）（ｂ）に示す支持体１４は互いに分離された台シート１５とカバーシート１６とを有し、カバーシート１６が透明な合成樹脂材により成形されているが、台シート１５は不透明な紙材により形成されている。
【００３６】
・  台シート１５とカバーシート１６との間の接続部２０や、台シート１５の下端縁１５ｂから台シート１５の係合孔３１につながる切込み３５が省略されている。
・  カバーシート１６の覆い部２２の下端縁と台シート１５の下端縁１５ｂとの間の挿入口部３０から図１０（ｃ）に示す西洋鋏６の両刃部１０を挿入する。なお、西洋鋏６の両刃部１０を台シート１５の表面１５ｅ側に重ねた後、さらにカバーシート１６を西洋鋏６の両刃部１０に重ねてもよい。
【００３７】
・  支持室２４は、第一接続手段（切込み１７及び接続舌片２３）とこの挿入口部３０との間の開放部２５と、この挿入口部３０とにわたり、それらの全体で開放されている。
〔図示しない別例〕
・  前記第１〜４実施形態では、握り鋏１及び西洋鋏６の長手方向（両柄部２，１１と両刃部３，１０とを互いに結ぶ方向）の両側で台シート１５にカバーシート１６が接続されているが、それらの幅方向（この長手方向に対し直交する方向）の両側で台シート１５にカバーシート１６を接続してもよい。
【００３８】
・  前記第１〜４実施形態では、台シート１５として合成樹脂材または紙材を利用し、カバーシート１６として合成樹脂材を利用しているが、合成樹脂材や紙材や金属箔など各種の材料から任意に選択したものを二層や三層など複数の層状に接合した構造にしてもよい。
【００３９】
・  前記第１，３実施形態では、合成樹脂材からなる支持体１４の台シート１５とカバーシート１６との間に、商品説明等を印刷した台紙を挟み込んでもよい。
【図面の簡単な説明】
【００４０】
【図１】（ａ）は第１実施形態にかかる鋏陳列用支持部材を展開して示す正面図であり、（ｂ）は握り鋏を示す正面図である。
【図２】（ａ）は図１（ａ）の鋏陳列用支持部材に図１（ｂ）の握り鋏を載せた組付け途中状態を示す正面図であり、（ｂ）は（ａ）の鋏陳列用支持部材の組付け完了状態を示す正面図である。
【図３】（ａ）は図２（ｂ）の鋏陳列用支持部材の組付け完了状態を示す背面図であり、（ｂ）は同じく側面図である。
【図４】（ａ）は第２実施形態にかかる鋏陳列用支持部材から分解した台シートを示す正面図であり、（ｂ）は同じくカバーシートを展開して示す正面図である。
【図５】（ａ）は図４（ａ）の台シートに図４（ｂ）のカバーシートを連結した展開状態の鋏陳列用支持部材に図１（ｂ）の握り鋏を載せた組付け途中状態を示す正面図であり、（ｂ）は（ａ）の鋏陳列用支持部材の組付け完了状態を示す正面図である。
【図６】（ａ）は図５（ｂ）の鋏陳列用支持部材の組付け完了状態を示す背面図であり、（ｂ）は同じく側面図である。
【図７】（ａ）は第３実施形態にかかる鋏陳列用支持部材を展開して示す正面図であり、（ｂ）は西洋鋏を示す正面図である。
【図８】（ａ）は図７（ａ）の鋏陳列用支持部材で台シートにカバーシートを重ねた組付け途中状態を示す正面図であり、（ｂ）は（ａ）の鋏陳列用支持部材の組付け完了状態を示す正面図である。
【図９】（ａ）は図８（ｂ）の鋏陳列用支持部材の組付け完了状態を示す背面図であり、（ｂ）は同じく側面図である。
【図１０】（ａ）は第４実施形態にかかる鋏陳列用支持部材から分解した台シートを示す正面図であり、（ｂ）は同じくカバーシートを示す正面図であり、（ｃ）は西洋鋏を示す正面図である。
【図１１】（ａ）は図１０（ａ）の台シートに図１０（ｃ）の西洋鋏を載せて図１０（ｂ）のカバーシートを連結した鋏陳列用支持部材の組付け完了状態を示す正面図であり、（ｂ）は同じく背面図であり、（ｃ）は同じく側面図である。
【符号の説明】
【００４１】
１…握り鋏、２…柄部、３…刃部、６…西洋鋏、７，８…鋏片、９…開閉中心軸部、１０…刃部、１１…柄部、１４…支持体、１５…台シート、１６…カバーシート、１７…切込み、１８…支持舌片、１８ａ…支持孔、２０…接続部、２１…帯状部、２３…接続舌片、２４…支持室、２４ａ…挿入口部、２６…切込み、２９…支持舌片、２９ａ…支持孔、３０…挿入口部、３１，３２…係合孔、３３，３４…止め孔、３７…止め索。
【図１】
2005187004.tif 000003
【図２】
2005187004.tif 000004
【図３】
2005187004.tif 000005
【図４】
2005187004.tif 000006
【図５】
2005187004.tif 000007
【図６】
2005187004.tif 000008
【図７】
2005187004.tif 000009
【図８】
2005187004.tif 000010
【図９】
2005187004.tif 000011
【図１０】
2005187004.tif 000012
【図１１】
2005187004.tif 000013